(57)【特許請求の範囲】
【請求項１】
画像を形成するためのディスプレイ装置に所望の映像を表出させると共に、そのディスプレイ装置の表示部分の一部に、光による制御信号を発生させるための画像信号形成手段と、前記ディスプレイ装置の表面に取付け、前記光による制御信号を受光するための複数の受光手段と、使用者が前記ディスプレイ装置を見るにあたり、装着するための眼鏡装置と、この眼鏡装置のレンズ部に形成されたシャッタ手段と、前記受光手段から得られた受光信号に基づき、前記ディスプレイ装置に表示される画像のタイミングに合わせて前記シャッタ手段を駆動させ、特定のタイミングで表示される画像を選択的に認識可能とさせる制御手段と、使用者の応答を入力するための入力手段とからなり、前記画像信号形成手段が、複数の画面を所定のタイミングで表出する様にディスプレイ装置を動作させており、前記光による制御信号が、複数の画面から特定の画面を判別するための信号となっており、前記入力手段から入力された応答により、制御手段が前記複数の受光手段から特定の受光手段を選択し、対応する画像を認識可能となっており、使用者の入力手段に対する応答に基づいて、制御手段が、前記シャッタ手段を駆動させ、前記使用者の入力手段に対する応答に対応すべき画像を表示可能とさせることを特徴とする複合映像描写装置。
【請求項２】
シャッタ手段が液晶シャッターである請求項１記載の複合映像描写装置。
【発明の詳細な説明】
【０００１】
【産業上の利用分野】
本発明は、立体映像システムと複合映像描写システム等に係わり、特に、ディスプレイ装置の表面の一部に受光素子を取付け、この受光素子に対向するディスプレイ装置の表面部に光制御信号を表出させ、この光制御信号に基づいて、液晶シャッター等を備えた眼鏡を制御することにより、３次元映像や、複数の画面から特定の画面のみを認識させることのできる立体映像システムと複合映像描写システム等に関するものである。
【０００２】
【従来の技術】
近年の画像処理技術の飛躍的進歩により、立体映像（３Ｄ映像）が普及しており、３次元画像を実現するために様々な工夫がなされている。
【０００３】
一般的には、偏光眼鏡等を使用して左画像と右画像を分離したり、特殊な印刷技術を使用することにより、偏光眼鏡等を使用しないで３Ｄ映像を得る方法等が採用されている。
【０００４】
【発明が解決しようとする課題】
しかしながら、上記従来の偏光眼鏡を使用した立体映像（３Ｄ映像）は、装置全体が大規模となり、コストが高いという問題点があった。更に、現状で使用しているディスプレイ装置等をそのまま利用することができず、一般家庭に広く普及させることができないという問題点があった。
【０００５】
そして、特殊な印刷技術を使用することにより、偏光眼鏡等を使用しないで３Ｄ映像を得る方法は、比較的コストは安いが、立体映像を得るために訓練を行わなければならず、マニア以外の子供等には簡便に立体映像を楽しむことができないという問題点があった。
【０００６】
本発明は上記課題に鑑み案出されたもので、画像を形成するためのディスプレイ装置に所望の映像を表出させると共に、そのディスプレイ装置の表示部分の一部に、光による制御信号を発生させるための画像信号形成手段と、前記ディスプレイ装置の表面に取付け、前記光による制御信号を受光するための複数の受光手段と、使用者が前記ディスプレイ装置を見るにあたり、装着するための眼鏡装置と、この眼鏡装置のレンズ部に形成されたシャッタ手段と、前記受光手段から得られた受光信号に基づき、前記ディスプレイ装置に表示される画像のタイミングに合わせて前記シャッタ手段を駆動させ、特定のタイミングで表示される画像を選択的に認識可能とさせる制御手段と、使用者の応答を入力するための入力手段とからなり、前記画像信号形成手段が、複数の画面を所定のタイミングで表出する様にディスプレイ装置を動作させており、前記光による制御信号が、複数の画面から特定の画面を判別するための信号となっており、前記入力手段から入力された応答により、制御手段が前記複数の受光手段から特定の受光手段を選択し、対応する画像を認識可能となっており、使用者の入力手段に対する応答に基づいて、制御手段が、前記シャッタ手段を駆動させ、前記使用者の入力手段に対する応答に対応すべき画像を表示可能とさせることを特徴としている。
【０００７】
また本発明は、シャッタ手段を液晶シャッターとすることもできる。
【００１３】
【発明の実施の形態】
以上の様に構成された本発明は、画像信号形成手段が、ディスプレイ装置に所望の映像を表出させると共に、ディスプレイ装置の表示部分の一部に、光による制御信号を発生させ、ディスプレイ装置の表面に取付ける受光手段が、光による制御信号を受光し、使用者がディスプレイ装置を見るにあたり、装着するための眼鏡装置のレンズ部にシャッタ手段を形成し、制御手段が、受光手段から得られた受光信号に基づき、ディスプレイ装置に表示される画像のタイミングに合わせてシャッタ手段を駆動させ、特定のタイミングで表示される画像を選択的に認識可能とさせることができる。
【００１４】
また本発明は、シャッタ手段を液晶シャッターとすることもできる。
【００２０】
【実施例】
本発明の立体映像システムと複合映像描写システム及びこれらの装置の実施例を図面に基づいて説明する。
【００２１】
図１は、本発明の第１実施例である立体映像システム１０００を示す図である。立体映像システム１０００は、画像信号形成手段１００と、ディスプレイ装置２００と、受光手段３００と、眼鏡手段４００と、第１のシャッタ手段４１０と、第２のシャッタ手段４２０と、制御手段５００とから形成されている。
【００２２】
画像信号形成手段１００は、ディスプレイ装置２００に所望の映像を表出させるためのものであり、本第１実施例ではビデオテープレコーダー（ＶＴＲ）が使用されている。画像信号形成手段１００は、ビデオテープレコーダー（ＶＴＲ）に限ることなく、地上波、衛星放送波、ケーブルテレビ等のテレビジョン信号、レーザーディスク（ＬＤ）、コンパクトディスク（ＣＤ）、ＣＤーＲＯＭ等を使用することができる。即ち、画像信号を発生させることのできる手段であれば、何れの装置を採用することができる。
【００２３】
なお画像信号形成手段１００に使用するソフトウェアには、ディスプレイ装置２００の表示部分の一部に、光による制御信号を発生させる様に構成されている。
【００２４】
本第１実施例で使用するソフトウェアは、立体画像を形成するために、右画像と左画像を交互に記録されており、この左画像には、左画像と識別するための光による制御信号をディスプレイ装置２００の一部に発生させる様になっており、右画像には、右画像と識別するための光による制御信号をディスプレイ装置２００の一部に発生させる様になっている。
【００２５】
本第１実施例の画像信号形成手段１００は、１フレームが１／３０秒の画像信号となっており、１秒間に約３０枚の画像が表示される様になっている。そこで、１秒間の内、約１５枚を右画像、約１５枚を左画像とし、これらの右画像及び左画像を交互に、ディスプレイ装置２００に表出する様に構成されている。
【００２６】
また本第１実施例では、右画像に対しては、ディスプレイ装置２００の一部に赤色を発生させる様になっており、左画像に対しては、ディスプレイ装置２００の一部に白色を発生させる様になっている。即ち、この赤信号及び白信号が、光による制御信号に該当するものである。
【００２７】
ディスプレイ装置２００は、通常のディスプレイであり、陰極線管を使用したものでも、液晶表示装置を使用したものであってもよい。
【００２８】
受光手段３００は、ディスプレイ装置２００の一部に表れる光による制御信号を受光するためのものである。この受光手段３００は、吸盤部材３１０と、この吸盤部材３１０の中央部分に形成された受光素子３２０とから構成されている。
【００２９】
吸盤部材３１０は、光による制御信号が発生するディスプレイ装置２００上の位置に、受光手段３００を固定するためのものである。
【００３０】
受光素子３２０は、光による制御信号を電気信号に変換する光センサーである。受光素子３２０は、ホトダイオード、ＣｄＳ、光半導体素子等、何れの光センサーを採用することができる。
【００３１】
本第１実施例の受光素子３２０は、右画像の場合に赤色信号が発生するため、赤色を検出する様にフィルタが付属した光センサーが採用されている。
【００３２】
眼鏡手段４００は、使用者がディスプレイ装置２００を見るにあたり、装着するためのものである。この眼鏡手段４００の一対のレンズ部には、第１のシャッタ手段４１０と第２のシャッタ手段４２０とが形成されている。第１のシャッタ手段４１０は、使用者の左眼に対向する位置に形成されており、第２のシャッタ手段４２０は、使用者の右眼に対向する位置に形成されている。
【００３３】
本第１実施例の第１のシャッタ手段４１０と第２のシャッタ手段４２０とは、液晶シャッタが採用されているが、他のシャッタ手段を採用することもできる。本第１実施例の液晶シャッタは、ＴＮ液晶シャッタが採用されている。
【００３４】
制御手段５００は、受光手段３００から得られた受光信号に基づき、第１のシャッタ手段４１０と第２のシャッタ手段４２０の何れかを駆動させるためのものである。
【００３５】
ここで図２に基づいて、立体映像システム１０００の電気的構成を説明する。
【００３６】
制御手段５００は、識別手段５１０と、第１のシャッタ駆動手段５２０と、第２のシャッタ駆動手段５３０とから構成されている。
【００３７】
識別手段５１０は、受光手段３００からの電気信号を入力し、右画像であるか左画像であるかを識別するためのものである。本第１実施例では、受光手段３００が赤色信号を受光し、出力信号を識別手段５１０に送出した場合には、右画像と識別し、第１のシャッタ駆動手段５２０を駆動させる。この結果、第１のシャッタ手段４１０が駆動され、使用者の左眼が遮蔽される。
【００３８】
更に識別手段５１０は、受光手段３００が赤色信号を受光せず、出力信号を識別手段５１０に送出しない場合には、左画像と識別し、第２のシャッタ駆動手段５３０を駆動させる。この結果、第２のシャッタ手段４２０が駆動され、使用者の右眼が遮蔽される。
【００３９】
以上の様に構成された本第１実施例は、ディスプレイ装置２００に表れた光による制御信号を受光手段３００で受光し、制御手段５００が、受光手段３００の信号に基づいて、第１のシャッタ手段４１０と第２のシャッタ手段４２０とを選択的に駆動させる様になっている。従って、ディスプレイ装置２００に表示された右画像又は左画像と対応させる様に、第１のシャッタ手段４１０又は第２のシャッタ手段４２０を駆動させれば、使用者は立体画像を得ることができる。
【００４０】
即ち本実施例の立体映像システム１０００は使用者に対して、図１に示す様に、飛行機等の飛翔体が使用者に向けて迫ってくる雰囲気を醸し出すことができ、更にミサイル等の複合化した立体環境を楽しむことができるという卓越した効果がある。
【００４１】
次に図３に基づいて、本発明の第２実施例である複合映像描写システム２０００を説明する。
【００４２】
複合映像描写システム２０００は、画像信号形成手段１００と、ディスプレイ装置２００と、第１の受光手段３００Ａと、第２の受光手段３００Ｂと、第３の受光手段３００Ｃと、眼鏡手段４００と、シャッタ手段４３０と、制御手段５００と、入力手段６００とから形成されている。
【００４３】
画像信号形成手段１００は、ディスプレイ装置２００に複数の画面を所定のタイミングで表出させるためのものであり、本第１実施例と同様にビデオテープレコーダー（ＶＴＲ）が使用されている。
【００４４】
なお、本第２実施例では、クイズの場合で説明する。
【００４５】
ＶＴＲのテープには、クイズの問題がまず再生され、回答を１番から３番までの中から選ぶ様に指示する。次に、正解に対応する画面と不正解に対応する画面が再生される様になっている。即ち、正解に対応する画面と不正解に対応する画面とが、複数の画面に該当する。
【００４６】
ディスプレイ装置２００上には、上述の第１実施例とは異なり、３箇所光による制御信号が発生可能に構成されている。
【００４７】
この３箇所発生可能な光による制御信号は、回答の１番から３番までに対応している。
【００４８】
従って、クイズの正解が１番の場合には、１番に対応する場所が赤色に点滅する様になっている。
【００４９】
そして、１番に対応する場所が赤色に点灯したタイミングでは、正解に対応する画面が表出され、１番に対応する場所が赤色に点灯せず、消灯したタイミングでは、不正解に対応する画面が表出されている。なお、この赤色の光による制御信号は、「複数の画面から特定の画面を判別するための信号」に該当するものである。
【００５０】
また、２番に対応する場所と３番に対応する場所では、不正解に対応するタイミングで赤色が点灯する様になっている。
【００５１】
なお、画像信号形成手段１００は、ビデオテープレコーダー（ＶＴＲ）に限ることなく、画像信号を発生させることのできる手段であれば、何れの装置を採用することができるのは第１実施例と同様である。
【００５２】
また、ディスプレイ装置２００上の１番に対応する光による制御信号が発生する位置には、第１の受光手段３００Ａが取り付けられ、２番に対応する光による制御信号が発生する位置には、第２の受光手段３００Ｂが取り付けられ、３番に対応する光による制御信号が発生する位置には、第３の受光手段３００Ｃが取り付けられている。
【００５３】
眼鏡手段４００は、使用者がディスプレイ装置２００を見るにあたり、装着するためのものであり、眼鏡手段４００のレンズ部には、シャッタ手段４３０が形成されている。シャッタ手段４３０の構成は、第１実施例の第１のシャッタ手段４１０又は第２のシャッタ手段４２０と同様である。
【００５４】
制御手段５００は、受光手段から得られた受光信号に基づき、ディスプレイ装置に表示される画像のタイミングに合わせてシャッタ手段を駆動させ、特定のタイミングで表示される画像を選択的に認識可能とさせることができる。
【００５５】
入力手段６００は使用者の応答を入力するためのものであり、本第２実施例の入力手段６００は、第１スイッチ６１０と第２スイッチ６２０と第３スイッチ６３０との３個の押しボタンスイッチから構成されている。そして使用者が第１スイッチ６１０を押せば、第１の受光手段３００Ａからの信号を制御手段５００に送出する様になっている。
【００５６】
また、使用者が第２スイッチ６２０を押せば、第２の受光手段３００Ｂからの信号を制御手段５００に送出する様になっており、使用者が第３スイッチ６３０を押せば、第３の受光手段３００Ｃからの信号を制御手段５００に送出する様に構成されている。
【００５７】
制御手段５００は、第１の受光手段３００Ａ、第２の受光手段３００Ｂ又は第３の受光手段３００Ｃから得られた受光信号に基づき、ディスプレイ装置２００に表示される画像のタイミングに合わせてシャッタ手段４３０を駆動させ、特定のタイミングで表示される画像を選択的に認識可能とさせるためのものである。
【００５８】
次に図４に基づいて、複合映像描写システム２０００の電気的構成を説明する。
【００５９】
制御手段５００は、識別手段５１０とシャッター駆動手段５４０とからなっている。
【００６０】
上述の様に正解が１番である場合であって、使用者が正解の１番に対応する第１スイッチ６１０を押せば、第１の受光手段３００Ａからの赤色検出信号は識別手段５１０に送出される。識別手段５１０は、ディスプレイ２００上で赤色信号が点灯したタイミングで、シャッター４３０が開放となる様にシャッター駆動手段５４０を駆動する。なお、「使用者が正解の１番に対応する第１スイッチ６１０を押せば、識別手段５１０は、シャッター４３０が開放となる様にシャッター駆動手段５４０を駆動する」とは、「使用者の入力手段に対する応答に基づいて、制御手段が、前記シャッタ手段を駆動させ、」に該当する。
【００６１】
この結果、使用者は、正解の画面を見ることができる。なお「正解の画面」とは、「制御手段が、前記シャッタ手段を駆動させ、前記使用者の入力手段に対する応答に対応すべき画像」に該当する。
【００６２】
なお、使用者が不正解の２番に相当するスイッチ６２０を押したり、不正解の３番を押したりした場合には、不正解のタイミングで赤色信号が識別手段５１０に送出されるので、識別手段５１０は、ディスプレイ２００上で赤色信号が点灯したタイミングで、シャッター４３０が開放となる様にシャッター駆動手段５４０を駆動し、不正解の画面が見られる様に制御する。
【００６３】
以上の様に、本第２実施例では、クイズに正解すれば「よくできました」等が描かれた画像を見ることができ、不正解の場合には、「まちがいです」等が描かれた画像を見ることができる。
【００６４】
なお、２番が正解のクイズの場合には、第２の受光手段３００Ｂに対向するディスプレイ２００上の位置では、赤色信号を正解画面と同期するタイミングで発生させ、第１の受光手段３００Ａと第３の受光手段３００Ｃとに対向するディスプレイ２００上の位置では、赤色信号を不正解画面と同期するタイミングで発生させればよい。
【００６５】
同様に、３番が正解のクイズの場合には、第３の受光手段３００Ｃに対向するディスプレイ２００上の位置では、赤色信号を正解画面と同期するタイミングで発生させ、第１の受光手段３００Ａと第２の受光手段３００Ｂとに対向するディスプレイ２００上の位置では、赤色信号を不正解画面と同期するタイミングで発生させればよい。
【００６６】
以上の様に構成された第２実施例では、複数の受光手段３００から得られた受光信号に基づき、複数の画面の内、何れかの画面を選択的に認識可能とすることができる。
【００６７】
なお、第２実施例のその他の構成、作用等は、第１実施例と同様であるから説明を省略する。
【００６８】
また第２実施例はクイズに限ることなく、占い、ゲーム、教習具等にも応用することができる。更に受光手段３００は３個に限らず、４個以上にすることもできる。
【００６９】
そして、光による制御信号をそれぞれ点滅信号とし、３個の場合には８ビットとして８択の設問とし、８画面を用意する構成にすることもできる。また、光による制御信号を点灯を１とし、消灯を０とすれば、０００、００１、０１０、０１１、１００、１０１、１１０、１１１の状態に対して、それぞれの別画像を用意し、入力手段６００から入力されたデータに対応する画像を表示させることもできる。
【００７０】
更に、ディスプレイ装置２００のイヤホン端子から音声信号を入力させ、識別手段５１０が、正解又は不正解に対応する音声のみをイヤホン７００に送出させる構成にすることもできる。
【００７１】
【効果】
以上の様に構成された本発明は、画像を形成するためのディスプレイ装置に所望の映像を表出させると共に、そのディスプレイ装置の表示部分の一部に、光による制御信号を発生させるための画像信号形成手段と、前記ディスプレイ装置の表面に取付け、前記光による制御信号を受光するための複数の受光手段と、使用者が前記ディスプレイ装置を見るにあたり、装着するための眼鏡装置と、この眼鏡装置のレンズ部に形成されたシャッタ手段と、前記受光手段から得られた受光信号に基づき、前記ディスプレイ装置に表示される画像のタイミングに合わせて前記シャッタ手段を駆動させ、特定のタイミングで表示される画像を選択的に認識可能とさせる制御手段と、使用者の応答を入力するための入力手段とからなり、前記画像信号形成手段が、複数の画面を所定のタイミングで表出する様にディスプレイ装置を動作させており、前記光による制御信号が、複数の画面から特定の画面を判別するための信号となっており、前記入力手段から入力された応答により、制御手段が前記複数の受光手段から特定の受光手段を選択し、対応する画像を認識可能となっており、使用者の入力手段に対する応答に基づいて、制御手段が、前記シャッタ手段を駆動させ、前記使用者の入力手段に対する応答に対応すべき画像を表示可能とさせる様に構成されているので、現在使用されている映像機器を使用して安価に立体映像システムを提供することができるという卓越した効果がある。
【００７２】
また本発明は、斬新で高付加価値なクイズ、ゲーム等を提供することができるという卓越した効果がある。
【００７３】
【図面の簡単な説明】
【図１】本発明の第１実施例である立体映像システム１０００を説明する斜視図である。
【図２】第１実施例である立体映像システム１０００の電気的構成を説明する図である。
【図３】本発明の第２実施例である複合映像描写システム２０００を説明する斜視図である。
【図４】第２実施例である複合映像描写システム２０００の電気的構成を説明する図である。
【符号の説明】
１０００  立体映像システム
２０００  複合映像描写システム
１００  画像信号形成手段
２００  ディスプレイ装置
３００  受光手段
３００Ａ  第１の受光手段
３００Ｂ  第２の受光手段
３００Ｃ  第３の受光手段
３１０  吸盤部材
３２０  受光素子
４００  眼鏡手段
４１０  第１のシャッタ手段
４２０  第２のシャッタ手段
４３０  シャッタ手段
５００  制御手段
５１０  識別手段
５２０  第１のシャッタ駆動手段
５３０  第２のシャッタ駆動手段
５４０  シャッター駆動手段
６００  入力手段
６１０  第１スイッチ
６２０  第２スイッチ
６３０  第３スイッチ
７００  イヤホン
【図１】
0003704588.tif 000002
【図２】
0003704588.tif 000003
【図３】
0003704588.tif 000004
【図４】
0003704588.tif 000005